(57)【要約】【課題】可動角度調整、自動脱水およびスポンジの取り外し洗浄が可能なモップの構造を提供する。【解決手段】柄棒３０のレバー３１が引かれることにより連結棒３２が上下移動を行う。柄棒３０の先端には連結軸片３３が固定され、連結槽３４が設けられる。圧縮構造４０は、円弧槽４２を有する２枚の圧縮片４１を備え、その下方に２つの圧縮軸４３を設けられる。台座５０は、２枚の翼片５１を連結して作られ、その境は、軸５２および孔５３の結合により折り畳むことができる。台座５０の底部には清掃用拭布５７が取り付けられる。以上の改良により、柄棒３０と台座５０との間の角度が変えられ、また台座５０底部の清掃用拭布５７の自動脱水および取り外し洗浄が可能になった。【選択図】図３
0003122542.tif 000002
【実用新案登録請求の範囲】
【請求項１】
柄棒、圧縮構造および台座を備えるモップであって、
前記柄棒は、空洞の管状を呈して、該柄棒上にはレバーが取りつけられて、該レバーが引かれることにより連結棒が上下移動を行い、前記柄棒の先端には連結軸片が固定され、該連結軸片中には連結槽があり、その表面には孔が設けられ、ボルトにより固定されて、
前記圧縮構造は、円弧槽を有する２枚の圧縮片を備え、該２枚の圧縮片の下方に２つの圧縮軸を設け、該圧縮軸は前記圧縮片の下部を固定させる機能を有し、前記２枚の圧縮片の間にはブロックが設けられ、該ブロックの幅はちょうど前記２枚の圧縮片の間隔と同じであって、該ブロックには孔が設けられ、該ブロックの両端には凸軸が設けられ、該凸軸はそれぞれ圧縮片の円弧槽内に配置され、該ブロックは前記２枚の圧縮片の上部を固定させる機能を有し、円弧槽内において弧状運動を行い、
前記台座は、２枚の翼片を連結して作られ、該２枚の翼片の境は、軸および孔の結合により折り畳むことができ、またスプリングにより前記２枚の翼片を水平に保つことができ、台座の中央には方向板が凸出して、方向板は下部を軸として台座上で回動し、方向板の上端には孔が、下端には貫通槽が設けられ、台座の底部には清掃用拭布が取り付けられることを特徴とするモップの構造。
【請求項２】
前記台座の底部清掃用拭布は、綿布、スポンジ、コットン紙であることを特徴とする請求項１記載のモップの構造。
【考案の詳細な説明】
【技術分野】
【０００１】
本考案は、モップの構造、特に可動角度の調整、自動脱水およびスポンジの取り外し洗浄が可能なモップの構造に関する。
【背景技術】
【０００２】
図１は、市場でよく見かけるモップの構造を示す斜視図である。柄棒１０には、レバー１１が取りつけられ、柄棒１０の先端には押え棒１２が連結されている。ロッド１３は、レバー１１により上下に移動させられ、ロッド１３の先端にはスポンジ１４が挟まれ固定されている。スポンジ１４は、レバー１１が押え棒１２に力を加えることにより搾られ、脱水機能を有する。しかしながら、従来のモップは実際に使用してみると、スポンジ１４は円形を呈しているため、床に接触したとき、「線」状になり接触面積が小さく、汚れを取る機能が不十分であることがわかる。また、柄棒１０とスポンジ１４との間の角度は、固定されていて調節できないようになっており、家具の下方に隙間があった場合、角度の制限を受けて、清掃することができない。さらに、清掃後、スポンジ１４がひどく汚れてしまった場合、スポンジ１４はモップ本体から取り外しができないので、その洗浄作業は非常に手間が掛かるうえ、洗浄効果も中途半端で、使い勝手が良くなかった。
市場でよく見かけるモップには、図２で示されるような簡易型モップもある。柄棒２０の下部に連結リング２１が連結されていて、連結リング２１は台座２２に固定されていて、台座２２の下部には清掃用拭布２３が固定されている。この簡易型モップは、柄棒２０および台座２２の角度が調整でき、角度の制限を受けずに家具の下方の隙間を清掃することができるという利点がある。しかし、モップの清掃用拭布２３は、脱水機能がなく、毎回使用するたびに、台座２２から清掃用拭布２３を取り外し洗浄しなければならなかった。それで、使用者は、床の清掃過程で、何度も清掃用拭布２３を取り外し洗浄する必要があるので、手を洗浄水に触れなければならないという欠点があった。
【考案の開示】
【考案が解決しようとする課題】
【０００３】
従来のモップには前述した欠点があった。本考案の目的は、可動角度調整、自動脱水およびスポンジの取り外し洗浄が可能なモップの構造を提供することである。
【課題を解決するための手段】
【０００４】
上記課題を解決させるために請求項１の考案は、柄棒は、空洞の管状を呈して、柄棒上にはレバーが取りつけられて、レバーが引かれることにより連結棒が上下移動を行い、柄棒の先端には連結軸片が固定され、連結軸片中には連結槽があり、表面には孔が設けられ、ボルトにより固定される。圧縮構造は、円弧槽を有する２枚の圧縮片を備え、２枚の圧縮片の下方に２つの圧縮軸を設け、圧縮軸は圧縮片の下部を固定させる機能を有し、２枚の圧縮片の間にはブロックが設けられ、ブロックの幅はちょうど２枚の圧縮片の間隔と同じであって、ブロックには孔が設けられ、ブロックの両端には凸軸が設けられ、凸軸はそれぞれ圧縮片の円弧槽内に配置され、ブロックは２枚の圧縮片の上部を固定させる機能を有し、円弧槽内において弧状運動を行う。台座は、２枚の翼片を連結して作られ、２枚の翼片の境は、軸および孔の結合により折り畳むことができ、またスプリングにより２枚の翼片を水平に保つことができ、台座の中央には方向板が凸出して、方向板は下部を軸として台座上で回動し、方向板の上端には孔が、下端には貫通槽が設けられ、台座の底部には清掃用拭布が取り付けられることを特徴とするモップの構造である。
【０００５】
請求項２の考案は、台座の底部清掃用拭布は、綿布、スポンジ、コットン紙であることを特徴とする請求項１記載のモップの構造である。
【考案の効果】
【０００６】
上述した事から分かるように、本考案のモップの構造は、角度調整、自動脱水およびスポンジの取り外し洗浄が可能なモップの構造を提供することができる。
【考案を実施するための最良の形態】
【０００７】
図孔４５で示すように、本考案は、主に柄棒３０、圧縮構造４０および台座５０から成る。柄棒３０は、空洞の管状を呈してレバー３１が取り付けられ、レバー３１が連結棒３２を上下に移動させ、柄棒３０の先端には連結軸片３３が固定されて、連結軸片３３の中には凸字形の連結槽３４があり、表面には孔３５があってボルト３６により固定される。
【０００８】
圧縮構造４０は、２枚の圧縮片４１上に円弧槽４２が設けられ、２枚の圧縮片４１の下方に２つの圧縮軸４３が設けられ、２枚の圧縮片４１の下部を固定させる機能を有する。２枚の圧縮片４１の間にはブロック４４が設けられ、ブロック４４の幅はちょうど２枚の圧縮片４１の間隔と同じである。ブロック４４には孔４５が設けられ、ブロック４４の両端には凸軸４６が設けられ、凸軸４６はそれぞれ圧縮片４１の円弧槽４２内に配置される。ブロック４４は、２枚の圧縮片４１の上部を固定させる機能を有し、円弧槽４２内において弧状運動を行う。
【０００９】
台座５０は、２枚の翼片５１を連結して作られ、２枚の翼片５１の境は、軸５２および孔５３の結合により、折り畳むことができ、またスプリングにより２枚の翼片５１を水平に保つことができる。台座５０の中央には、方向板５４が凸出している。方向板５４は、下部を軸として台座５０上で回動する。方向板５４の上端には貫通孔５５、下端には貫通槽５６が設けられ、台座５０の底部には清掃用拭布５７が取り付けられる。取り付け方は粘着などの固定方法で、清掃用拭布５７は綿布、スポンジ、コットン紙などである。
【００１０】
圧縮構造４０を台座５０の上に設け、台座５０の方向板５４を圧縮構造４０のブロック４４を通し、柄棒３０の連結軸片３３を方向板５４およびブロック４４と結合させる。方向板５４の先端は柄棒３０の連結棒３２の末端と繋がり、ブロック４４の上部は凸字形の連結槽３４と繋がり、ボルト３６が順番に孔３５とブロック４４の孔孔４５を通し、柄棒３０は連結軸片３３により圧縮構造４０のブロック４４と結合する。
図６で示されるように、柄棒３０上のレバー３１が引かれると、連結棒３２が上方に移動し、方向板５４はその先端に連結棒３２が繋がっているため、連結棒３２が引かれると、上昇する力を受ける。方向板５４に上昇する力が加わると、ブロック４４が連結槽３４に固定されているため、上昇できず、台座５０の２枚の翼片５１は圧縮軸４３の圧縮作用を受ける。要するに、方向板５４および２枚の翼片５１に上昇する力が加わると、２枚の翼片５１は圧縮軸４３の圧縮作用により折り畳まれる。このとき、台座５０の底部の清掃用拭布５７は２枚の翼片５１が折り畳まれることにより脱水される。連結棒３２がレバー３１により元の位置に戻された場合、方向板５４も元に戻ろうとする。２枚の翼片５１もスプリングの作用により元の位置に戻され水平の状態を呈する。
図７で示されるように、方向板５４は、下部を軸として台座５０上で回動するので、その上部に接続している柄棒３０も同様に回動することができる。それで、使用者の身長によりモップの使用角度が異なったり、家具の下方に隙間の清掃したりするにしても、柄棒３０の可動角度の変化によりこれらの問題を解決することができる。また、柄棒３０は、使用中に自由に角度を変えることもでき、台座５０が床の清掃中にひっくり返るのを防ぐことができる。さらに、清掃用拭布５７は、簡単で楽に台座５０の底部から取り外しができるので、清掃用拭布５７は単独で洗浄および取り替えが可能である。
【００１１】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案登録請求の範囲で指定した内容を基準とする。
【図面の簡単な説明】
【００１２】
【図１】従来のモップの構造を示す立体図である。
【図２】もう一つの従来の簡易型モップの構造を示す立体図である。
【図３】本考案のモップの構造を示す立体図である。
【図４】本考案のモップの構造を示す正面図である。
【図５】本考案のモップの構造を示す側面図である。
【図６】本考案の一実施形態である脱水の動作の説明図である。
【図７】本考案の一実施形態である角度を変える動作の説明図である。
【符号の説明】
【００１３】
１０柄棒
１１レバー
１２押え棒
１３ロッド
１４スポンジ
２０柄棒
２１連結リング
２２台座
２３清掃用拭布
３０  柄棒
３１  レバー
３２  連結棒
３３  連結軸片
３４  連結槽
３５  孔
３６  ボルト
４０  圧縮構造
４１  圧縮片
４２  円弧槽
４３  圧縮軸
４４  ブロック
４５  孔
４６  凸軸
５０  台座
５１  翼片
５２  軸
５３  孔
５４  方向板
５５  貫通孔
５６  貫通槽
５７  清掃用拭布
【図１】
0003122542.tif 000003
【図２】
0003122542.tif 000004
【図３】
0003122542.tif 000005
【図４】
0003122542.tif 000006
【図５】
0003122542.tif 000007
【図６】
0003122542.tif 000008
【図７】
0003122542.tif 000009